(57)【要約】【課題】ユーザに手間をかけることなく、携帯電話機の電話帳データに含まれる連絡先のうち、緊急事態に応じた連絡先に迅速に電話を掛けることが可能な「ハンズフリー装置および電話番号表示方法」を提供する。【解決手段】施設の電話番号と当該施設のジャンルと車両に緊急事態が発生した場合に電話を掛ける可能性が高い特定ジャンルとを含む施設情報をハンズフリー装置１００に記憶しておき、その施設情報を参照し、携帯電話機１４０から受信した電話帳データに含まれる複数の電話番号の中から、特定ジャンルの施設の電話番号と同一の電話番号を抽出し、抽出した電話番号に関連付けられた名称をディスプレイ１８０に表示することにより、携帯電話機１４０の電話帳データにおいて緊急事態に関するグループが登録されていなくても、ハンズフリー装置１００に記憶している施設情報に基づいて緊急事態に関する施設の名称が抽出されて表示されるようにする。【選択図】図１
2011250187.tif 000002
【特許請求の範囲】
【請求項１】
複数の電話番号と当該複数の電話番号にそれぞれ関連付けられた名称とを含む電話帳データを携帯電話機から受信する電話帳データ受信部と、
施設の電話番号と当該施設のジャンルと車両に緊急事態が発生した場合に電話を掛ける可能性が高い特定ジャンルとを含む施設情報を記憶する施設情報記憶部と、
前記施設情報を参照して、前記電話帳データ受信部により受信された前記電話帳データに含まれる複数の電話番号の中から、前記特定ジャンルの施設の電話番号と同一の電話番号を抽出する第１抽出部と、
前記第１抽出部により抽出された電話番号およびこれに関連付けられた名称の少なくとも一方を表示部に表示するように制御する表示制御部とを備えたことを特徴とするハンズフリー装置。
【請求項２】
複数の電話番号と当該複数の電話番号にそれぞれ関連付けられた名称とを含む電話帳データを携帯電話機から受信する電話帳データ受信部と、
車両に緊急事態が発生した場合に電話を掛ける可能性が高いジャンルに関連するキーワードを示すキーワード情報を記憶するキーワード情報記憶部と、
前記キーワード情報を参照して、前記電話帳データ受信部により受信された前記電話帳データに含まれる複数の名称の中から、前記キーワードを少なくとも一部に有する名称を抽出する第２抽出部と、
前記第２抽出部により抽出された名称およびこれに関連付けられた電話番号の少なくとも一方を表示部に表示するように制御する表示制御部とを備えたことを特徴とするハンズフリー装置。
【請求項３】
ハンズフリー装置が、複数の電話番号と当該複数の電話番号にそれぞれ関連付けられた名称とを含む電話帳データを携帯電話機から受信する第１のステップと、
前記ハンズフリー装置が、施設の電話番号と当該施設のジャンルと車両に緊急事態が発生した場合に電話を掛ける可能性が高い特定ジャンルとを含む施設情報を参照して、前記第１のステップにより受信された前記電話帳データに含まれる複数の電話番号の中から、前記特定ジャンルの施設の電話番号と同一の電話番号を抽出する第２のステップと、
前記ハンズフリー装置が、前記第２のステップにより抽出された電話番号およびこれに関連付けられた名称の少なくとも一方を表示部に表示するように制御する第３のステップとを有することを特徴とする電話番号表示方法。
【請求項４】
ハンズフリー装置が、複数の電話番号と当該複数の電話番号にそれぞれ関連付けられた名称とを含む電話帳データを携帯電話機から受信する第１のステップと、
前記ハンズフリー装置が、車両に緊急事態が発生した場合に電話を掛ける可能性が高いジャンルに関連するキーワードを示すキーワード情報を参照して、前記第１のステップにより受信された前記電話帳データに含まれる複数の名称の中から、前記キーワードを少なくとも一部に有する名称を抽出する第２のステップと、
前記ハンズフリー装置が、前記第２のステップにより抽出された名称およびこれに関連付けられた電話番号の少なくとも一方を表示部に表示するように制御する第３のステップとを有することを特徴とする電話番号表示方法。
【発明の詳細な説明】
【技術分野】
【０００１】
本発明は、ハンズフリー装置および電話番号表示方法に関し、例えば、携帯電話機が保持する電話帳データを受信し、その受信した電話帳データに基づいて運転中でも携帯電話機を手に持たずに発信する機能（ハンズフリー通話機能）を有するハンズフリー装置に用いて好適なものである。
【背景技術】
【０００２】
従来のハンズフリー装置では、携帯電話機の記憶部に記憶された電話番号と当該電話番号に関連付けられた名称（例えば、氏名や施設名称など）とを含む電話帳データを受信し、その受信した電話帳データに基づいてハンズフリー通話の発信を行うことが可能である。
【０００３】
具体的には、ユーザは、携帯電話機とハンズフリー装置とを接続し、電話帳データをハンズフリー装置に転送する操作を行う。すると、ハンズフリー装置は、携帯電話機のメモリに記憶された電話帳データを受信し、当該ハンズフリー装置の記憶部に記憶する。その後、携帯電話機の電話帳データを用いて電話を掛けることを要求するユーザ操作を受け付けた場合、ハンズフリー装置は、電話帳データに含まれる電話番号を表示部に表示する。表示部に表示された電話番号の中から何れかの電話番号を選択するユーザ操作を受け付けた場合、ハンズフリー装置は、その選択された電話番号に発信を行う。
【０００４】
なお、携帯電話機の電話帳データに含まれる個別情報（例えば、名称や電話番号）のうち特定のグループに属する個別情報を地図画面上で認識できるようにした技術が開示されている（例えば、特許文献１を参照）。具体的には、どのグループに属するかがあらかじめ設定されている個別情報を含む電話帳データを、携帯電話機からナビゲーション装置に入力し、その入力した電話帳データに含まれる個別情報に対応する地点座標を求める。そして、入力した電話帳データの中から、特定のグループに属し、かつ、地点座標が地図表示対象内に含まれる個別情報を抽出し、当該抽出した個別情報を地図表示画面に表示するようにしている。
【先行技術文献】
【特許文献】
【０００５】
【特許文献１】特開２００５−３４３１号公報
【発明の概要】
【発明が解決しようとする課題】
【０００６】
ところで、ユーザが車両を運転している最中に緊急事態（例えば、交通事故や車両故障など）が発生する場合がある。この場合、ユーザは、ハンズフリー装置のハンズフリー通話機能を使用して、緊急事態に応じた連絡先へ迅速に電話を掛けたいときがある。例えば、交通事故が発生した場合、ユーザが契約している保険会社へ電話を掛けたいときがある。また、車両故障が発生した場合、ユーザがよく行く自動車修理工場へ電話を掛けたいときがある。
【０００７】
しかしながら、ハンズフリー装置のハンズフリー通話機能を使用して電話を掛ける場合、ユーザは、携帯電話機の電話帳データに含まれる全ての電話番号の中から緊急事態に応じた連絡先の電話番号を探し出す必要があり、探し出すのに時間がかかる。そのため、ユーザは、緊急事態に応じた連絡先に対して、迅速に電話を掛けることができないという問題があった。
【０００８】
なお、上記特許文献１に記載の技術では、携帯電話機の電話帳データに含まれる電話番号（個別情報）のうち、ユーザの表示したいグループに属する電話番号を表示することができる。しかしながら、上記特許文献１に記載の技術では、携帯電話機の電話帳データに含まれる電話番号に対して、グループ分けされていることが前提となる。そのため、緊急事態に応じた連絡先の電話番号を地図画面上に表示させるためには、緊急事態に関するグループをユーザが携帯電話機にあらかじめ設定しておく必要があり、設定の手間がかかる。
【０００９】
本発明は、このような問題を解決するために成されたものであり、ユーザに手間をかけることなく、携帯電話機の電話帳データに含まれる連絡先のうち、緊急事態に応じた連絡先に迅速に電話を掛けることができるようにすることを目的とする。
【課題を解決するための手段】
【００１０】
上記した課題を解決するために、本発明のハンズフリー装置では、複数の電話番号と当該複数の電話番号にそれぞれ関連付けられた名称とを含む電話帳データを携帯電話機から受信する。そして、施設の電話番号と当該施設のジャンルと車両に緊急事態が発生した場合に電話を掛ける可能性が高い特定ジャンルとを含む施設情報をハンズフリー装置に記憶しておき、当該施設情報を参照することにより、携帯電話機から受信した電話帳データに含まれる複数の電話番号の中から、特定ジャンルの施設の電話番号と同一の電話番号を抽出し、その抽出した電話番号に関連付けられた名称を表示部に表示するようにしている。
【００１１】
また、本発明のハンズフリー装置では、車両に緊急事態が発生した場合に電話を掛ける可能性が高いジャンルに関連するキーワードを示すキーワード情報をハンズフリー装置に記憶しておき、当該キーワード情報を参照することにより、携帯電話機から受信した電話帳データに含まれる複数の名称の中から、当該キーワードを少なくとも一部に有する名称を抽出し、その抽出した名称を表示部に表示するようにしている。
【発明の効果】
【００１２】
上記のように構成した本発明によれば、携帯電話機の保持する電話帳データとハンズフリー装置に記憶している施設情報またはキーワード情報とが照合され、電話帳データに含まれる複数の名称のうち、車両に緊急事態が発生した場合に電話を掛ける可能性が高いジャンルの施設の名称が表示される。そのため、ユーザは、表示された名称の中から緊急事態に応じた連絡先を短い時間で探し出すことができ、その連絡先に迅速に電話を掛けることができる。また、携帯電話機の電話帳データにおいて緊急事態に関するグループが登録されていなくても、ハンズフリー装置に記憶している施設情報またはキーワード情報に基づいて緊急事態に関する施設の名称が抽出される。そのため、緊急事態に関するジャンルをユーザが携帯電話機にあらかじめ設定しておく必要がなく、ユーザに対する負荷をなくすことができる。
【図面の簡単な説明】
【００１３】
【図１】本実施形態によるハンズフリー装置を備えたハンズフリー通話システムの構成例を示すブロック図である。
【図２】本実施形態による電話画面の表示例を示す図である。
【図３】本実施形態のハンズフリー装置による電話帳データの受信動作例を示すフローチャートである。
【図４】本実施形態のハンズフリー装置による発信動作例を示すフローチャートである。
【発明を実施するための形態】
【００１４】
以下、本発明の一実施形態を図面に基づいて説明する。図１は、本実施形態によるハンズフリー装置１００を備えたハンズフリー通話システム１２０の構成例を示すブロック図である。図１に示すように、ハンズフリー通話システム１２０は、ハンズフリー装置１００の他に、携帯電話機１４０、操作部１６０およびディスプレイ１８０（本発明の表示部に対応する）を備えて構成されている。ハンズフリー装置１００は、携帯電話機１４０の記憶部２００に記憶された電話帳データを使用し、携帯電話機１４０と連動して他の電話装置（携帯電話機または固定電話機）とのハンズフリー通話を行う機能を有する。
【００１５】
操作部１６０は、ユーザがハンズフリー装置１００に対して各種の操作を行うためのものであり、タッチパネルやリモコン等の入力装置により構成される。例えば、携帯電話機１４０の記憶部２００に記憶されている電話帳データを用いて、携帯電話機１４０と連動して他の電話装置とのハンズフリー通話を行う場合に必要な操作は、ユーザがこの操作部１６０を用いて行う。ディスプレイ１８０は、ハンズフリー装置１００により生成された各種情報を表示する。
【００１６】
次に、携帯電話機１４０の内部構成について説明する。携帯電話機１４０は、記憶部２００、読み出し部２２０および無線通信制御部２４０を備えて構成されている。記憶部２００は、複数の電話番号と当該複数の電話番号にそれぞれ関連付けられた名称（例えば、氏名や施設名称など）とを含む電話帳データを記憶する。記憶部２００には、ユーザが携帯電話機１４０に対して電話番号およびそれに関連付けられた名称を登録する度に、その電話番号および名称が電話帳データに追加記憶される。
【００１７】
読み出し部２２０は、無線通信制御部２４０からの要求を受けて、記憶部２００に記憶されている電話帳データを読み出す。そして、読み出し部２２０は、読み出した電話帳データを無線通信制御部２４０に出力する。
【００１８】
無線通信制御部２４０は、ハンズフリー装置１００からの要求を受けて、記憶部２００に記憶されている電話帳データの送信を制御する。具体的には、無線通信制御部２４０は、読み出し部２２０に対して記憶部２００に記憶されている電話帳データを読み出すことを要求する。そして、無線通信制御部２４０は、読み出し部２２０により記憶部２００から読み出された電話帳データをハンズフリー装置１００に送信する。
【００１９】
次に、ハンズフリー装置１００の内部構成について説明する。ハンズフリー装置１００は、操作受付部３００、無線通信制御部３２０（本発明の電話帳データ受信部に対応する）、バッファ３４０、施設情報記憶部３６０、第１抽出部３８０、電話番号情報記憶部４００、キーワード情報記憶部４２０、第２抽出部４４０、電話画面生成部４６０、表示制御部４８０および発信制御部５００を備えて構成されている。
【００２０】
操作受付部３００は、操作部１６０を介して、携帯電話機１４０の記憶部２００に記憶されている電話帳データの受信を開始する操作を受け付ける。操作受付部３００は、電話帳データの受信を開始する操作を受け付けた場合、その旨を無線通信制御部３２０に出力する。
【００２１】
また、操作受付部３００は、操作部１６０を介して、ハンズフリー装置１００のハンズフリー通話機能を使用して電話を掛けるための電話画面を表示する操作を受け付ける。操作受付部３００は、電話画面を表示する操作を受け付けた場合、その旨を電話画面生成部４６０に出力する。
【００２２】
操作受付部３００は、操作部１６０を介して、電話画面に表示された短縮ダイヤルのうち何れかを押下する操作を受け付ける。そして、操作受付部３００は、電話画面に表示された短縮ダイヤルのうち何れかを押下する操作を受け付けた場合、その押下された短縮ダイヤルに関連付けられた電話番号情報を電話番号情報記憶部４００から取得し、取得した電話番号情報に含まれる電話番号を示す指定電話番号情報を発信制御部５００に出力する。発信制御部５００は、操作受付部３００から指定電話番号情報が出力された場合、その指定電話番号情報により示される電話番号に発信するように制御する。
【００２３】
無線通信制御部３２０は、電話帳データの受信を開始する操作を受け付けた旨の通知を操作受付部３００から受けた場合、例えば、Ｂｌｕｅｔｏｏｔｈ（登録商標）により携帯電話機１４０との通信を接続し、携帯電話機１４０の記憶部２００に記憶されている電話帳データを送信することを携帯電話機１４０に対して要求する。その後、無線通信制御部３２０は、携帯電話機１４０から送信された電話帳データを受信し、当該受信した電話帳データをバッファ３４０に一時的に格納する。なお、ハンズフリー装置１００は、無線通信制御部３２０により携帯電話機１４０との通信が接続されることによって、携帯電話機１４０と連動して他の電話装置とのハンズフリー通話を行うことが可能になる。
【００２４】
施設情報記憶部３６０は、施設の名称、施設の種別を表すジャンル、施設の位置（緯度、経度で表される位置）、施設の電話番号等を情報として含む施設情報を施設ごとに記憶する。施設情報には、車両に緊急事態が発生した場合に電話を掛ける可能性が高い特定ジャンルを示す情報も更に含まれている。車両に緊急事態が発生した場合に電話を掛ける可能性が高い特定ジャンルは、例えば、保険会社、自動車販売店、自動車修理工場、カー用品専門店および病院である。すなわち、交通事故が発生した場合、ユーザが契約している保険会社へ電話を掛ける可能性が高い。さらに、怪我を負っている人がる場合、過去に通院または入院したことのある病院に電話を掛ける可能性が高い。また、車両故障が発生した場合、故障箇所について相談をするために、ユーザがよく行く自動車販売店、自動車修理工場またはカー用品専門店へ電話を掛ける可能性が高い。
【００２５】
第１抽出部３８０は、施設情報記憶部３６０に記憶されている施設情報を参照して、施設情報記憶部３６０に記憶されている施設情報に含まれる電話番号のうち、車両に緊急事態が発生した場合に電話を掛ける可能性が高いジャンルの施設の電話番号を抽出する。そして、第１抽出部３８０は、バッファ３４０に一時的に格納されている電話帳データから、施設情報から抽出した電話番号と一致する電話番号と当該電話番号に関連付けられた名称とを電話番号情報として抽出し、電話番号情報記憶部４００に記憶させる。
【００２６】
キーワード情報記憶部４２０は、車両に緊急事態が発生した場合に電話を掛ける可能性が高いジャンルに関連するキーワード（例えば、保険、自動車、カー用品および病院など）を示すキーワード情報を記憶する。
【００２７】
第２抽出部４４０は、キーワード情報記憶部４２０に記憶されているキーワード情報を参照し、バッファ３４０に一時的に格納されている電話帳データに含まれる複数の名称の中から、当該キーワード情報により示されるキーワードを少なくとも一部に有する名称を抽出する。さらに、第２抽出部４４０は、当該抽出した名称に関連付けられた電話番号をバッファ３４０の電話帳データから抽出する。そして、第２抽出部４４０は、抽出した電話番号と名称とを電話番号情報として電話番号情報記憶部４００に記憶させる。なお、第２抽出部４４０は、電話番号情報記憶部４００に電話番号情報を記憶させる際、第１抽出部３８０により電話番号情報記憶部４００に記憶させられた電話番号情報と重複して記憶させないようにする。
【００２８】
電話画面生成部４６０は、電話画面を表示する操作を受け付けた旨の通知を操作受付部３００から受けた場合、電話番号情報記憶部４００に記憶されている電話番号情報により示される電話番号および名称を含む電話画面データを生成する。そして、電話画面生成部４６０は、生成した電話画面データを表示制御部４８０に出力する。表示制御部４８０は、電話画面生成部４６０から出力された電話画面データに基づいて電話画面をディスプレイ１８０に表示する。なお、電話画面生成部４６０および表示制御部４８０は、本発明の表示制御部に対応する。
【００２９】
図２は、本実施形態による電話画面の表示例を示している。図２において、６００，６２０，６４０は、電話画面生成部４６０が電話画面を表示する操作を受け付けた旨の通知を操作受付部３００から受けた時点において、第１抽出部３８０および第２抽出部４４０の処理によって電話番号情報記憶部４００に記憶されている電話番号情報である。電話番号情報６００に含まれる名称および電話番号は図２に示すように、それぞれ「ＡＡＡ保険会社」および「ＸＸＸ−ＸＸＸＸ−ＸＸＸＸ」である。また、電話番号情報６２０に含まれる名称および電話番号は、それぞれ「ＢＢＢ自動車販売」および「ＹＹＹ−ＹＹＹＹ−ＹＹＹＹ」である。また、電話番号情報６４０に含まれる名称および電話番号は、それぞれ「ＣＣＣ用品店」および「ＺＺＺ−ＺＺＺＺ−ＺＺＺＺ」である。
【００３０】
短縮ダイヤル６６０は、電話画面上に表示されている電話番号情報６００に含まれる電話番号（ＸＸＸ−ＸＸＸＸ−ＸＸＸＸ）を指定するための操作キーである。なお、電話画面生成部４６０は、電話画面を生成する際、短縮ダイヤル６６０と電話番号情報記憶部４００に記憶されている電話番号情報６００とを関連付ける設定を行い、その設定内容を示す設定情報を操作受付部３００に出力している。ユーザは、電話番号情報６００に含まれる電話番号に電話を掛けたい場合、操作部１６０を介して短縮ダイヤル６６０を押下する操作を行う。
【００３１】
また、短縮ダイヤル６８０は、電話画面上に表示されている電話番号情報６２０に含まれる電話番号（ＹＹＹ−ＹＹＹＹ−ＹＹＹＹ）を指定するための操作キーである。なお、電話画面生成部４６０は、電話画面を生成する際、短縮ダイヤル６８０と電話番号情報記憶部４００に記憶されている電話番号情報６２０とを関連付ける設定を行い、その設定内容を示す設定情報を操作受付部３００に出力している。ユーザは、電話番号情報６４０に含まれる電話番号に電話を掛けたい場合、操作部１６０を介して短縮ダイヤル６８０を押下する操作を行う。
【００３２】
また、短縮ダイヤル７００は、電話画面上に表示されている電話番号情報６４０に含まれる電話番号（ＺＺＺ−ＺＺＺＺ−ＺＺＺＺ）を指定するための操作キーである。なお、電話画面生成部４６０は、電話画面を生成する際、短縮ダイヤル７００と電話番号情報記憶部４００に記憶されている電話番号情報６４０とを関連付ける設定を行い、その設定内容を示す設定情報を操作受付部３００に出力している。ユーザは、電話番号情報６６０に含まれる電話番号に電話を掛けたい場合、操作部１６０を介して短縮ダイヤル７００を選択する操作を行う。
【００３３】
例えば、操作受付部３００は、操作部１６０を介して、短縮ダイヤル６８０を押下する操作を受け付けた場合、その押下された短縮ダイヤル６８０に対応する電話番号情報６２０（電話画面生成部４６０から出力された設定情報により特定される）を電話番号情報記憶部４００から取得し、取得した電話番号情報６２０に含まれる電話番号を示す指定電話番号情報を発信制御部５００に出力する。発信制御部５００は、操作受付部３００から出力された指定電話番号情報により示される電話番号（ＹＹＹ−ＹＹＹＹ−ＹＹＹＹ）に発信するように制御する。これによって、ユーザは、車両故障が発生した場合などに、ユーザがよく行く「ＢＢＢ自動車販売」へ電話を掛けることができる。
【００３４】
次に、本実施形態のハンズフリー装置１００による電話帳データの受信動作について説明する。図３は、本実施形態のハンズフリー装置１００による電話帳データの受信動作例を示すフローチャートである。図３におけるステップＳ１００の処理は、例えば、携帯電話機１４０の記憶部２００に記憶された電話帳データの受信を開始する操作を操作受付部３００が受け付けることにより開始する。
【００３５】
まず、無線通信制御部３２０は、携帯電話機１４０の記憶部２００に記憶された電話帳データの受信を開始する操作を受け付けた旨の通知を操作受付部３００から受けて、携帯電話機１４０との通信を接続し、携帯電話機１４０の記憶部２００に記憶されている電話帳データを送信することを携帯電話機１４０に対して要求する。次に、無線通信制御部３２０は、携帯電話機１４０から送信された電話帳データを受信し、当該受信した電話帳データをバッファ３４０に一時的に格納する（ステップＳ１００）。
【００３６】
次に、第１抽出部３８０は、施設情報記憶部３６０に記憶されている施設情報を参照して、施設情報記憶部３６０に記憶されている施設情報に含まれる電話番号のうち、車両に緊急事態が発生した場合に電話を掛ける可能性が高い特定ジャンルの施設の電話番号を抽出する（ステップＳ１２０）。次に、第１抽出部３８０は、バッファ３４０に一時的に格納されている電話帳データから、施設情報記憶部３６０に記憶されている施設情報から抽出した電話番号と一致する電話番号と当該電話番号に関連付けられた名称とを抽出し、電話番号情報として電話番号情報記憶部４００に記憶させる（ステップＳ１４０）。
【００３７】
次に、第２抽出部４４０は、キーワード情報記憶部４２０に記憶されているキーワード情報を参照し、バッファ３４０に一時的に格納されている電話帳データに含まれる複数の名称の中から、当該キーワード情報により示されるキーワードを少なくとも一部に有する名称を抽出する（ステップＳ１６０）。さらに、第２抽出部４４０は、ステップＳ１６０で抽出した名称に関連付けられた電話番号をバッファ３４０の電話帳データから抽出し、ステップＳ１６０で抽出した名称と共に電話番号情報として電話番号情報記憶部４００に記憶させる（ステップＳ１８０）。ステップＳ１８０の処理が完了することによって、ハンズフリー装置１００は図３における処理を終了する。
【００３８】
次に、本実施形態のハンズフリー装置１００による発信動作について説明する。図４は、本実施形態のハンズフリー装置１００による発信動作例を示すフローチャートである。図４におけるステップＳ２００の処理は、操作部１６０を介して、ハンズフリー装置１００のハンズフリー通話機能を使用して電話を掛けるための電話画面を表示する操作を操作受付部３００が受け付けることにより開始する。
【００３９】
まず、電話画面生成部４６０は、電話画面を表示する操作を受け付けた旨の通知を操作受付部３００から受けて、電話番号情報記憶部４００に記憶されている電話番号情報により示される電話番号および名称を含む電話画面データを生成する（ステップＳ２００）。そして、電話画面生成部４６０は、生成した電話画面データを表示制御部４８０に出力する。次に、表示制御部４８０は、電話画面生成部４６０から出力された電話画面データに基づいて電話画面をディスプレイ１８０に表示する（ステップＳ２２０）。
【００４０】
次に、操作受付部３００は、操作部１６０を介して、電話画面に表示された短縮ダイヤル６６０〜７００のうち何れかを押下する操作を受け付けたか否かについて判定する（ステップＳ２４０）。もし、電話画面に表示された短縮ダイヤル６６０〜７００のうち何れかを押下する操作を受け付けていないと操作受付部３００にて判定した場合（ステップＳ２４０にてＮＯ）、処理はステップＳ２４０に遷移する。
【００４１】
一方、電話画面に表示された短縮ダイヤル６６０〜７００のうち何れかを押下する操作を受け付けたと操作受付部３００にて判定した場合（ステップＳ２４０にてＹＥＳ）、操作受付部３００は、その押下された短縮ダイヤルに対応する電話番号情報を電話番号情報記憶部４００から取得し、取得した電話番号情報に含まれる電話番号を示す指定電話番号情報を発信制御部５００に出力する。最後に、発信制御部５００は、操作受付部３００から出力された指定電話番号情報により示される電話番号に発信するように制御する（ステップＳ２６０）。ステップＳ２６０の処理が完了することによって、ハンズフリー装置１００は図４における処理を終了する。
【００４２】
以上詳しく説明したように、本実施形態では、施設の電話番号と当該施設のジャンルと車両に緊急事態が発生した場合に電話を掛ける可能性が高い特定ジャンルを示す情報とを含む施設情報をハンズフリー装置１００の施設情報記憶部３６０に記憶しておく。そして、電話画面を表示するときに、当該施設情報を参照することにより、携帯電話機１４０から受信した電話帳データに含まれる複数の電話番号の中から、車両に緊急事態が発生した場合に電話を掛ける可能性が高いジャンルの施設の電話番号と同一の電話番号を抽出してディスプレイ１８０に表示するようにしている。
【００４３】
また、本実施形態では、車両に緊急事態が発生した場合に電話を掛ける可能性が高いジャンルに関連するキーワードを示すキーワード情報をハンズフリー装置１００のキーワード情報記憶部４２０に記憶しておく。そして、電話画面を表示するときに、当該キーワード情報を参照することにより、携帯電話機１４０から受信した電話帳データに含まれる複数の名称の中から、当該キーワードを少なくとも一部に有する名称を抽出し、その抽出した名称に関連付けられている電話番号をディスプレイ１８０に表示するようにしている。
【００４４】
このように構成した本実施形態によれば、携帯電話機１４０の保持する電話帳データとハンズフリー装置１００に記憶している施設情報またはキーワード情報とが照合され、電話帳データに含まれる複数の電話番号のうち、車両に緊急事態が発生した場合に電話を掛ける可能性が高いジャンルの施設の電話番号が抽出されて電話画面に表示される。そのため、ユーザは、表示された電話番号の中から緊急事態に応じた連絡先の電話番号を短い時間で探し出すことができ、その連絡先に迅速に電話を掛けることができる。また、携帯電話機１４０の電話帳データにおいて緊急事態に関するグループが登録されていなくても、ハンズフリー装置１００に記憶している施設情報またはキーワード情報に基づいて緊急事態に関する施設の電話番号が抽出される。そのため、緊急事態に関するジャンルをユーザが携帯電話機１４０にあらかじめ設定しておく必要がなく、ユーザに対する負荷をなくすことができる。
【００４５】
また、本実施形態によれば、携帯電話機１４０から受信した電話帳データに含まれる複数の電話番号の中から、キーワード情報により示されるキーワードを少なくとも一部に有する名称に関連付けられている電話番号が抽出される。そのため、電話帳データに含まれる電話番号のうち、施設情報には存在しない電話番号であっても、車両に緊急事態が発生した場合に電話を掛ける可能性が高いジャンルの施設の電話番号を抽出することができる。例えば、最近できた病院の電話番号が携帯電話機１４０に登録してあるが、施設情報には含まれていない場合、施設情報を用いた抽出処理では当該最近できた病院の電話番号を抽出することはできない。しかし、キーワード情報により示されるキーワードに「病院」が含まれていれば、キーワード情報を用いた抽出処理によって最近できた病院の電話番号を抽出することができる。
【００４６】
なお、上記実施形態において、電話画面を表示する際に第１抽出部３８０および第２抽出部４００により抽出された電話番号を含めて表示する例について説明したが、本発明はこれに限定されない。例えば、電話画面を一旦表示した後に、緊急時に電話を掛けたい電話番号を表示することを要求するユーザ操作が操作受付部３００により受け付けられた場合に限り、第１抽出部３８０および第２抽出部４００により抽出された電話番号を表示するようにしても良い。このようにすれば、車両に緊急事態が発生していない場合にまで、第１抽出部３８０および第２抽出部４００により抽出された電話番号が不必要に表示されることを防止することができる。
【００４７】
また、本実施形態では、電話番号情報記憶部４００に記憶されている電話番号情報により示される名称および電話番号を電話画面上に表示する例について説明したが、本発明はこれに限定されない。例えば、電話番号情報記憶部４００に記憶されている電話番号情報により示される名称のみを電話画面上に表示するようにしても良い。
【００４８】
また、本実施形態では、施設情報およびキーワード情報の両方を用いて、車両に緊急事態が発生した場合に電話を掛ける可能性が高いジャンルの施設の電話番号を抽出する処理を行う例について説明したが、施設情報およびキーワード情報の一方を用いて当該電話番号の抽出処理を行うようにしても良い。
【００４９】
また、本実施形態では、車両に緊急事態が発生した場合に電話を掛ける可能性が高い特定ジャンルを示す情報を施設情報記憶部３６０に記憶させる例について説明したが、施設情報記憶部３６０とは別に記憶させるようにしても良い。
【００５０】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５１】
１００  ハンズフリー装置
１４０  携帯電話機
１８０  ディスプレイ
３２０  無線通信制御部
３６０  施設情報記憶部
３８０  第１抽出部
４２０  キーワード情報記憶部
４４０  第２抽出部
４６０  電話画面生成部
４８０  表示制御部
【図１】
2011250187.tif 000003
【図２】
2011250187.tif 000004
【図３】
2011250187.tif 000005
【図４】
2011250187.tif 000006